(57)【要約】      （修正有）【課題】低周波または電気石などにより、ユーザの身体または四肢を強力にシェ−ピングすることができ、奥まで脂肪を粉砕可能な強力シェ−ピング装置を提供する。【解決手段】低周波発生器と、その一端が低周波発生器に連結され、その自由端に連接具が結合される少なくとも一つの伝導ケーブルと、その背面の中央に係合具が設けられ、係合具が伝導ケーブルの連接具と電気的に連接可能であり、その背面の近傍に結合部が複数設けられ、その表面の中央に近接する箇所では、伝導用ゲル層３３と、導入式主動膜層３４と、保護膜層３５と、が設けられ、その表面に電気石３６が複数設けられる少なくとも一つの大型貼付面３０と、結合部と結合可能な結合具が設けられ、ユーザの身体または四肢を括ることにより、ユーザのシェーピングしたい部位に大型貼付面３０を緊密に接触可能である少なくとも一つの括りバンドと、を備える。【選択図】図１
0003162035.tif 000002
【実用新案登録請求の範囲】
【請求項１】
低周波発生器と、
その一端が前記低周波発生器に連結され、その自由端に連接具が結合される少なくとも一つの伝導ケーブルと、
その背面の中央に係合具が設けられ、前記係合具が前記伝導ケーブルの前記連接具と電気的に連接可能であり、その背面の近傍に結合部が複数設けられ、その表面の中央に近接する箇所では、伝導用ゲル層と、導入式主動膜層と、保護膜層と、が設けられ、その表面に電気石が複数設けられる少なくとも一つの大型貼付面と、
前記結合部と結合可能な結合具が設けられ、ユーザの身体または四肢を括ることにより、ユーザのシェーピングしたい部位に前記大型貼付面を緊密に接触可能である少なくとも一つの括りバンドと、
を備えることを特徴とする奥まで脂肪を粉砕可能な強力シェ−ピング装置。
【請求項２】
前記結合部と前記結合具とはマジックテープ（登録商標）でもよいことを特徴とする、請求項１に記載の奥まで脂肪を粉砕可能な強力シェ−ピング装置。
【考案の詳細な説明】
【技術分野】
【０００１】
本考案は、シェ−ピング装置に関し、特に、ユーザの身体または四肢に設置して、低周波または電気石などにより、ユーザの身体または四肢を強力にシェ−ピングすることができ、奥まで脂肪を粉砕可能な強力シェ−ピング装置に関するものである。
【背景技術】
【０００２】
近来、美学に対する研究が多いため、国民の人体のシェープに対する要求がどんどん厳しくなり、例えば腹の少し膨らんでも、他人の論議を招く可能性があり、女性の場合には、身体のシェープに対する要求が更に厳しい。女性の身体が素晴らしいシェープを有すると、男性のマイナス面の論議を招くことがなくなる。
【０００３】
これにより、各種類の脂肪燃焼機または按摩機が開発されて市販になり、これらの機器により、ユーザの身体をシェーピングすることができる。しかし、従来の低周波脂肪燃焼機は、一台の低周波発生機と、２枚の貼付片と、から構成される。従来の低周波脂肪燃焼機の使用方法は、ユーザの皮膚に貼付片を貼り付けて、低周波によって皮膚の直下の脂肪を減少することである。ゴミやホコリなどが貼付片に付着し易く、且つ貼付片の粘着性が良くないため、貼付片はユーザの皮膚から脱落し易く、ユーザの皮膚に汗があるときには、貼付片の皮膚に対する粘着性が更に降下する。従来の貼付片は、消耗品であるため、頻繁に交換することが必要であり、極めて不経済である。そして従来の貼付片は、その面積が小さいため、施療可能な範囲が狭く、電流の流し可能な範囲も狭い。
【考案の概要】
【考案が解決しようとする課題】
【０００４】
本考案の主な目的は、ユーザの身体または四肢に設置して、低周波または電気石などにより、ユーザの身体または四肢を強力にシェ−ピングすることができ、奥まで脂肪を粉砕可能な強力シェ−ピング装置を提供することにある。
【課題を解決するための手段】
【０００５】
本考案の奥まで脂肪を粉砕可能な強力シェ−ピング装置によると、低周波発生器と、
その一端が前記低周波発生器に連結され、その自由端に連接具が結合される少なくとも一つの伝導ケーブルと、
その背面の中央に係合具が設けられ、前記係合具が前記伝導ケーブルの前記連接具と電気的に連接可能であり、その背面の近傍に結合部が複数設けられ、その表面の中央に近接する箇所では、伝導用ゲル層と、導入式主動膜層と、保護膜層と、が設けられ、その表面に電気石が複数設けられる少なくとも一つの大型貼付面と、
前記結合部と結合可能な結合具が設けられ、ユーザの身体または四肢を括ることにより、ユーザのシェーピングしたい部位に前記大型貼付面を緊密に接触可能である少なくとも一つの括りバンドと、
を備えることを特徴とする。
【０００６】
本考案の奥まで脂肪を粉砕可能な強力シェ−ピング装置によると、前記結合部と前記結合具とはマジックテープ(登録商標)でもよいことを特徴とする。
【考案の効果】
【０００７】
本考案の奥まで脂肪を粉砕可能な強力シェ−ピング装置によれば、大面積の皮膚に低周波を加えることができ、導入式主動膜により低周波を皮膚の奥まで導入することができ、電気石による赤外線により、皮膚の局部の温度を上昇することができ、これにより、血行が良くなり、身体を痩せることができ、且つ電気石と低周波との合せにより、マジックストーン効果が発生し、低周波による施療効果が更に向上するという効果を有する。
【図面の簡単な説明】
【０００８】
【図１】本考案の実施例の分解斜視図である。
【図２】本考案の実施例の組合済み状態の断面図である。
【図３】本考案の実施例の平面図である。
【図４】本考案の実施例の後方から見た模式図である。
【図５】本考案の実施例の使用状態を示す模式図である。
【考案を実施するための形態】
【０００９】
以下、本考案の実施の形態を図面に基づいて説明する。
まず、図１乃至図５を参照する。本考案の実施例の奥まで脂肪を粉砕可能な強力シェ−ピング装置は、低周波発生器１０と、少なくとも一つの伝導ケーブル２０と、少なくとも一つの大型貼付面３０と、少なくとも一つの括りバンド４０と、を含む。
【００１０】
伝導ケーブル２０は、その一端が低周波発生器１０に連結され、その自由端に連接具２１が結合される。
【００１１】
大型貼付面３０は、その背面の中央に係合具３１が設けられ、係合具３１が伝導ケーブル２０の連接具２１と電気的に連接可能であり、その背面の近傍に結合部３２が複数設けられ、その表面の中央に近接する箇所では、伝導用ゲル層３３と、導入式主動膜層３４と、保護膜層３５と、が設けられ、その表面に電気石３６が複数設けられる。
【００１２】
括りバンド４０は、結合部３２と結合可能な結合具４１が設けられ、ユーザの身体または四肢を括ることにより、ユーザのシェーピングしたい部位に大型貼付面３０を緊密に接触可能である。
【００１３】
大型貼付面３０の表面の中央に近接する箇所に設けられる伝導用ゲル層３３は、低周波を有効に伝導することができ、導入式主動膜層３４により低周波が更に皮膚の奥まで導入される。保護膜層３５は、ウェットティッシュによって清潔することができる。大型貼付面３０の表面に複数の電気石３６が設けられる。次に、本考案の実施例の奥まで脂肪を粉砕可能な強力シェ−ピング装置の使用方法を説明する。まず、ユーザのシェーピングしたい部位に大型貼付面３０を設置して、係合具３１と伝導ケーブル２０と低周波発生器１０とにより、ユーザのシェーピングしたい部位に低周波を導入して、導入式主動膜層３４により低周波を皮膚の奥まで導入し、そして電気石３６による赤外線により、皮膚の局部の温度を上昇することができ、これにより、血行が良くなり、身体を痩せることができ、且つ電気石と低周波との合せにより、マジックストーン効果が発生し、低周波による施療効果が更に向上する。
【００１４】
結合部３２と結合具４１とはマジックテープ（登録商標）でもよい。
導入式主動膜層３４と保護膜層３５とに伝導用ゲル層３３を合せると、低周波の伝導力が増加する。
【００１５】
電気石３６は赤外線を発生することができ、電気石３６による赤外線により、皮膚の局部の温度を上昇することができ、これにより、血行が良くなり、身体を痩せることができ、且つ電気石と低周波との合せにより、マジックストーン効果が発生し、低周波による施療効果が更に向上する。
【産業上の利用可能性】
【００１６】
本考案は、シェ−ピング装置に適用することができる。
【符号の説明】
【００１７】
１０：低周波発生器
２０：伝導ケーブル
２１：連接具
３０：大型貼付面
３１：係合具
３２：結合部、
３３：伝導用ゲル層
３４：導入式主動膜層
３５：保護膜層
３６：電気石
４０：括りバンド
４１：結合具
【図１】
0003162035.tif 000003
【図２】
0003162035.tif 000004
【図３】
0003162035.tif 000005
【図４】
0003162035.tif 000006
【図５】
0003162035.tif 000007